(57)【要約】    【課題】      セキュリティを保ちながら消費電力の低減を図ること。    【解決手段】  携帯端末装置１００は、受信パワーレベルの変動が小さい状態が一定時間続いた場合は、キーユニット２００の認証動作を初期化するリセット信号をキーユニット２００に送出することによってキーユニット２００を初期化し、これによってキーユニット２００及び携帯端末装置１００の認証動作を停止させる。例えば、認証動作時、受信パワーレベルに変動がない状態が一定時間続くと、常時認証する必要のない環境下にあると判断して認証動作を停止させる。  【選択図】      図１
2007019879.tif 000002
【特許請求の範囲】
【請求項１】
無線通信ユニットとの間で無線信号を送受信して無線認証を行う無線認証手段と、
前記無線通信ユニットから送信される信号の受信レベルの変動を検出するレベル変動検出手段と、
前記受信レベルの変動が所定値以下の状態が一定時間継続したとき、前記無線認証手段による認証動作を休止する制御を行う制御手段と
を備える携帯端末装置。
【請求項２】
前記レベル変動検出手段は、認証信号の受信レベルの変動を検出する請求項１記載の携帯端末装置。
【請求項３】
前記レベル変動検出手段は、前記無線津通信ユニットから定期的に送信されるサーチ信号の受信レベルの変動を検出する請求項１記載の携帯端末装置。
【請求項４】
前記レベル変動検出手段は、前記無線通信ユニットから送信される信号の受信レベルを検出し、検出した受信レベルが所定値以上の場合に、前記信号の受信レベルの変動を検出する請求項１乃至請求項３のいずれかに記載の携帯端末装置。
【請求項５】
前記制御手段は、前記受信レベルの変動が所定値以下の状態が一定時間継続したとき、前記無線通信ユニットの認証動作を初期化するリセット信号を送出する制御を行う制御手段と請求項１記載の携帯端末装置。
【請求項６】
前記制御手段は、前記信号の受信レベルの変動が所定値以上であるとき、前記認証動作を再開する請求項１記載の携帯端末装置。
【請求項７】
前記制御手段は、前記信号の受信レベルの変動が所定値以上であるとき、前記無線通信ユニットから送信されたサーチ信号に応答する応答信号を送出する制御を行う請求項１記載の携帯端末装置。
【請求項８】
さらに、複数の無線通信ユニットから送信される信号の受信レベルの変動に基づいて、前記無線通信ユニットに対して認証継続の優先権を与える優先権設定手段を備え、
前記制御手段は、優先権の付与された無線通信ユニットには認証を継続し、認証が付与されない無線通信ユニットには認証動作を初期化するリセット信号を送出する制御を行う請求項１記載の携帯端末装置。
【請求項９】
携帯端末装置との間で無線信号を送受信して無線認証を行う無線認証手段と、
前記携帯端末装置から送信されるリセット信号を受信するリセット信号受信手段と、
前記リセット信号を受信すると、認証動作を初期化し、認証動作開始を要求するサーチ信号を定期的に送出する制御を行う制御手段と
を備える無線通信ユニット。
【請求項１０】
前記制御手段は、前記サーチ信号に応答する応答信号を受信すると、該応答信号を返した携帯端末装置との間で前記無線認証手段による認証動作を開始する制御を行う請求項９記載の無線通信ユニット。
【請求項１１】
無線通信ユニットとの間で無線信号を送受信して無線認証を行うステップと、
前記無線通信ユニットから送信される信号の受信レベルの変動を検出するステップと、
前記受信レベルの変動が所定値以下の状態が一定時間継続したとき、認証動作を休止する制御を行うステップと
を有する認証制御方法。
【請求項１２】
複数の無線通信ユニットとの間で無線信号を送受信して無線認証を行うステップと、
複数の前記無線通信ユニットから送信される信号の受信レベルの変動を検出するステップと、
複数の前記無線通信ユニットから送信される信号の受信レベルの変動に基づいて、前記無線通信ユニットに対して認証継続の優先権を与えるステップと、
優先権の付与された無線通信ユニットには認証を継続し、認証が付与されない無線通信ユニットには認証動作を初期化するリセット信号を送出する制御を行うステップと
を有する認証制御方法。
【請求項１３】
携帯端末装置との間で無線信号を送受信して無線認証を行うステップと、
前記携帯端末装置から送信されるリセット信号を受信するステップと、
前記リセット信号を受信すると、認証動作を初期化し、認証動作開始を要求するサーチ信号を定期的に送出する制御を行うステップと
を有する認証制御方法。
【請求項１４】
無線通信ユニットとの間で無線信号を送受信して無線認証を行うステップと、前記無線通信ユニットから送信される信号の受信レベルの変動を検出するステップと、前記受信レベルの変動が所定値以下の状態が一定時間継続したとき、認証動作を休止する制御を行うステップとをコンピュータに実行させるためのプログラム。
【請求項１５】
複数の無線通信ユニットとの間で無線信号を送受信して無線認証を行うステップと、複数の前記無線通信ユニットから送信される信号の受信レベルの変動を検出するステップと、複数の前記無線通信ユニットから送信される信号の受信レベルの変動に基づいて、前記無線通信ユニットに対して認証継続の優先権を与えるステップと、優先権の付与された無線通信ユニットには認証を継続し、認証が付与されない無線通信ユニットには認証動作を初期化するリセット信号を送出する制御を行うステップとをコンピュータに実行させるためのプログラム。
【請求項１６】
携帯端末装置との間で無線信号を送受信して無線認証を行うステップと、前記携帯端末装置から送信されるリセット信号を受信するステップと、前記リセット信号を受信すると、認証動作を初期化し、認証動作開始を要求するサーチ信号を定期的に送出する制御を行うステップとをコンピュータに実行させるためのプログラム。
【発明の詳細な説明】
【技術分野】
【０００１】
本発明は、無線通信ユニットとの間で無線信号を送受信して無線認証を行う携帯電話機などの携帯端末装置、無線通信ユニット、認証制御方法及び認証制御プログラムに関する。
【背景技術】
【０００２】
従来、携帯電話機には、盗難等による所有者以外の者の無断使用を防止する対策として、使用制限機能が付加されている。一般に、この使用制限機能は、所有者によるＩＤ、すなわち、暗証番号によって使用制限を解除することにより、通話を可能にするものである。暗証番号による使用制限及びその解除は、キーボードによる操作が必要であり、電話の都度、制限及び解除操作を必要としている。通話後、使用制限を行わなかった場合、その携帯電話機が盗難に遭うと、無制限に通話が行われたり、個人情報を見られたりするおそれがある。
【０００３】
特許文献１には、置き忘れや盗難により携帯電話機などの機器が所有者又は使用者の手元から離れると機器そのものを使用不能にするとともに、機器が一定距離以上離れたことを警告する機器の使用制限装置が開示されている。
図８は、無線認証通信を使用して携帯端末装置に使用制限をかける使用制限方法を説明する図である。
【０００４】
図８に示すように、携帯電話機などの携帯端末装置１０がユーザ１の手元から離れ認証距離から外れると携帯端末装置１０を使用不能にするとともに、ユーザ１が所持する無線通信ユニット（以下、キーユニットと呼ぶ）２０が置き忘れ警報を鳴らす。具体的には、キーユニット２０と携帯端末装置１０内の使用制限解除ユニット間で無線信号を受信して無線認証を行うシステムにおいて、受信レベルが一定値以下になったことをそれぞれのユニットが検出すると、使用制限解除ユニットが使用制限解除信号の送り出しを停止することによって携帯端末装置１０の使用制限が行われ、キーユニット２０は警報信号を発する。これにより、置き忘れや盗難を防止することができる。
【０００５】
図９は、図８の携帯端末装置の使用制限方法を実現するブロック図である。
【０００６】
図９において、携帯電話機／ＰＨＳ（Personal Handy-Phone System），ＰＤＡ（Personal Digital Assistants），ノート型ＰＣ，ＭＰ３プレーヤー，ＨＤＤプレーヤーなどの携帯端末装置１０と、携帯端末装置１０と相互に通信（ポーリング）をすることで距離が一定以上離れた場合、携帯端末装置１０を自動ロックし警報を鳴らすキーユニット２０とからなり、それぞれ相互に無線認証を行うための無線認証部１１，２１を備える。キーユニット２０は、電池２２により駆動される。
【０００７】
キーユニット２０の無線認証部２１と携帯端末装置１０の無線認証部１１とは、無線通信を利用して認証を行う。キーユニット２０の無線認証部２１と携帯端末装置１０の無線認証部１１は、予め関連付けされたＩＤを所有し無線通信により互いが１対であることを把握することで常時認証を行う。
【０００８】
図１０は、携帯端末装置１０とキーユニット２０の無線認証の動作を示す制御シーケンス図である。
【０００９】
図１０に示すように、キーユニット２０は定期的にサーチ信号を送信する。このサーチ信号を受信した携帯端末装置１０は、サーチ信号に含まれるキーユニット２０のＩＤと自己（携帯端末装置１０）の持つＩＤとを照合し、予め登録されている組み合わせのＩＤであれば応答信号を返す。キーユニット２０も応答信号に含まれる携帯端末装置のＩＤと自己（キーユニット２０）の持つＩＤとを照合する。互いに確認ができたあとは、乱数を暗号化したデータ（認証信号１）をキーユニット２０から送り、携帯端末装置１０からはそれを複合化したデータ（認証信号１’）を送ることで認証を行う。
【００１０】
携帯端末装置１０とキーユニット２０とが互いに認証されている間は問題なく携帯端末装置１０を操作することができる。認証が正常に行われなかった場合には、携帯端末装置１０の操作に制限がかかり、キーユニット２０は警報を発する。
【００１１】
図１１は、携帯端末装置１０とキーユニット２０の組み合わせを示す図である。キーユニット２０は、キー（鍵）の形状に模式化して示している。図１１（ａ）に示すように、携帯端末装置１０は、携帯電話機のほか、図１１（ｂ）に示すＰＤＡ、図１１（ｃ）に示すノート型ＰＣなどに適用することができる。
【特許文献１】特開平１１−８８４９９号公報
【発明の開示】
【発明が解決しようとする課題】
【００１２】
しかしながら、このような従来の無線認証を行う携帯端末装置にあっては、携帯端末装置と無線通信ユニットとの認証動作を常時行う構成であったため、無線信号の送受信が常時繰り返されることにより消費電力の増大を招く。例えば、図１２に示す携帯端末装置１０の無線認証部１１とキーユニット２０の無線認証部２１とは、微弱無線周波数帯を使って低消費電力で双方向無線通信を行う通信モジュールにより構成される。それでも認証動作を常時行うことで消費電力の増大は免れない。
【００１３】
本発明は、かかる点に鑑みてなされたものであり、セキュリティを保ちながら消費電力の低減を図ることができる携帯端末装置、無線通信ユニット、認証制御方法及び認証制御プログラムを提供することを目的とする。
【００１４】
本発明は、ユーザの使用状況に合わせて無線通信ユニットの認証動作を休止して無線認証の実効を図ることができる携帯端末装置、無線通信ユニット、認証制御方法及び認証制御プログラムを提供することを別の目的とする。
【課題を解決するための手段】
【００１５】
本発明の携帯端末装置は、無線通信ユニットとの間で無線信号を送受信して無線認証を行う無線認証手段と、前記無線通信ユニットから送信される信号の受信レベルの変動を検出するレベル変動検出手段と、前記受信レベルの変動が所定値以下の状態が一定時間継続したとき、前記無線認証手段による認証動作を休止する制御を行う制御手段とを備える構成を採る。
【００１６】
本発明の無線通信ユニットは、携帯端末装置との間で無線信号を送受信して無線認証を行う無線認証手段と、前記携帯端末装置から送信されるリセット信号を受信するリセット信号受信手段と、前記リセット信号を受信すると、認証動作を初期化し、認証動作開始を要求するサーチ信号を定期的に送出する制御を行う制御手段とを備える構成を採る。
【００１７】
本発明の認証制御方法は、無線通信ユニットとの間で無線信号を送受信して無線認証を行うステップと、前記無線通信ユニットから送信される信号の受信レベルの変動を検出するステップと、前記受信レベルの変動が所定値以下の状態が一定時間継続したとき、認証動作を休止する制御を行うステップとを有する。
【００１８】
本発明の認証制御方法は、複数の無線通信ユニットとの間で無線信号を送受信して無線認証を行うステップと、複数の前記無線通信ユニットから送信される信号の受信レベルの変動を検出するステップと、複数の前記無線通信ユニットから送信される信号の受信レベルの変動に基づいて、前記無線通信ユニットに対して認証継続の優先権を与えるステップと、優先権の付与された無線通信ユニットには認証を継続し、認証が付与されない無線通信ユニットには認証動作を初期化するリセット信号を送出する制御を行うステップとを有する。
【００１９】
本発明の認証制御方法は、携帯端末装置との間で無線信号を送受信して無線認証を行うステップと、前記携帯端末装置から送信されるリセット信号を受信するステップと、前記リセット信号を受信すると、認証動作を初期化し、認証動作開始を要求するサーチ信号を定期的に送出する制御を行うステップとを有する。
【００２０】
また、別の観点から、本発明は、無線通信ユニットとの間で無線信号を送受信して無線認証を行うステップと、前記無線通信ユニットから送信される信号の受信レベルの変動を検出するステップと、前記受信レベルの変動が所定値以下の状態が一定時間継続したとき、認証動作を休止する制御を行うステップとをコンピュータに実行させるためのプログラムである。
【００２１】
本発明は、携帯端末装置との間で無線信号を送受信して無線認証を行うステップと、前記携帯端末装置から送信されるリセット信号を受信するステップと、前記リセット信号を受信すると、認証動作を初期化し、認証動作開始を要求するサーチ信号を定期的に送出する制御を行うステップとをコンピュータに実行させるためのプログラムである。
【発明の効果】
【００２２】
本発明によれば、セキュリティを保ちながら携帯端末装置及び無線通信ユニット双方の消費電力の低減を図ることができる。また、ユーザにとってより使い良い状態にある無線通信ユニットの認証動作を継続し、それ以外の無線通信ユニットに対しては認証動作を休止して無意味な警報を未然に防ぎつつ消費電力のより一層の低減を図ることができる。
【発明を実施するための最良の形態】
【００２３】
以下、本発明の実施の形態について図面を参照して詳細に説明する。
【００２４】
（実施の形態１）
図１は、本発明の実施の形態１に係る認証制御方法を用いる携帯端末装置の構成を示すブロック図である。本実施の形態は携帯端末装置に携帯電話機を適用した例である。
【００２５】
図１において、１００は無線認証を行う携帯電話機（携帯端末装置）、２００は携帯端末装置１００と認証のための双方向無線通信を行うキーユニット（無線通信ユニット）である。
【００２６】
携帯電話機（携帯端末装置）１００は、キーユニット２００と無線認証を行い、認証不成立時、使用制限信号を出力する無線認証部１１０と、アンテナ１４１を有する無線通信・データ処理部１４２とを備える。
【００２７】
無線認証部１１０は、キーユニット２００と無線通信を行うためのアンテナ１１１、ＩＤなどを送受信する送受信部１１２、認証を行うためのＩＤを記憶する認証用ＩＤ記憶部１１３、記憶ＩＤと受信ＩＤ照合を行う無線認証制御部１１４、電力測定部１３３により測定した値を記憶する受信パワー記憶部１１５、パワーレベル変動が所定値以下になっている時間を計時するタイマ１１６、認証状態をリセットするための信号を生成するリセット信号生成部１１７を備えて構成される。
【００２８】
送受信部１１２は、送信部１２３と受信部１３４からなり、送信部１２３は、データを変調する変調部１２１及び変調信号を増幅する増幅部１２２を備え、受信部１３４は、受信信号を復調する復調部１３１、受信信号を増幅する増幅部１３２及び受信信号の受信レベル（受信強度）を測定する電力測定部１３３を備える。
【００２９】
また、無線通信・データ処理部１４２は、携帯端末装置１００のキャリア通信部とデータ処理部である。本実施の形態は、携帯端末装置１００を携帯電話機に適用した例であるため、携帯電話機本体の通信機能を示しているが、携帯端末装置１００が、ＰＤＡ，ノート型ＰＣ，ＭＰ３プレーヤー，ＨＤＤプレーヤーなどである場合はこの部分はこれら携帯機器の本体機能部となる。無線認証部１１０からの使用制限解除信号の受信により本体機能が使用可能となり、使用制限解除信号を受信しないか又は使用制限信号を受信したとき本体機能の一部又は全部の使用が制限される。
【００３０】
なお、図示は省略するが、携帯端末装置１００は、さらに外部出力部としてＬＣＤ表示部、ＬＥＤ発光部、スピーカ、バイブレータ、ＰＣＭコーディックを用いた音声合成出力部などを備える。
【００３１】
一方、キーユニット２００は、携帯端末装置１００の無線認証部１１０と無線通信を行うためのアンテナ２１１と、携帯端末装置１００と無線認証を行い、認証不成立時、警報信号を出力する無線認証部２１２と、認証状態をＬＥＤ等で報知するとともに、認証不成立時には警報・発光などでユーザに注意を喚起する警報通知部２１３と、各部に電源を供給する電池２１４とを備えて構成される。また、無線認証部２１２は、ＩＤなどを送受信する送受信部２２１、認証を行うためのＩＤを記憶する認証用ＩＤ記憶部２２２、及び記憶ＩＤと受信ＩＤ照合を行う無線認証ユニット制御部２２３を備えて構成される。
【００３２】
キーユニット２００の無線認証部２１２と携帯端末装置１００の無線認証部１１０とは、例えば３００ＭＨｚ帯の微弱無線周波数帯を使って低消費電力で双方向無線通信を行う通信モジュールにより構成される。
【００３３】
以下、上述のように構成された携帯端末装置及び無線通信ユニットの認証制御動作について説明する。
【００３４】
図１０に示すように、キーユニット２００は定期的にサーチ信号を送信する。このサーチ信号を受信した携帯端末装置１００は、サーチ信号に含まれるキーユニット２００のＩＤと自己（携帯端末装置１００）の持つＩＤとを照合し、予め登録されている組み合わせのＩＤであれば応答信号を返す。キーユニット２００も応答信号に含まれる携帯端末装置１００のＩＤと自己（キーユニット２００）の持つＩＤとを照合する。その後、キーユニット２００内の無線認証部２２２から携帯端末装置１００の無線認証部１１０に認証のための乱数を暗号化したデータ（認証信号１）を送出し、携帯端末装置１００からはそれを複合化したデータ（認証信号１’）を送ることで認証を行う。したがって、携帯端末装置１００及びキーユニット２００の無線認証部１１０，２１２は、サーチ信号及びリセット信号の送受信によって個別に認証制御処理を実行する。
【００３５】
なお、無線認証方法は必ずしもこの方法で実施する必要はなく、秘匿性が保たれれば、他の周知の方法で実施してもよい。
【００３６】
以下、図２乃至図４の認証制御フローを参照して具体的動作について説明する。
【００３７】
図２は、携帯端末装置１００の認証制御動作を示すフローチャートであり、図中Ｓはフローの各ステップを示す。
【００３８】
まず、ステップＳ１で送受信部１１２の受信部１３４はキーユニット２００からの認証信号を受信し、ステップＳ２で受信した認証信号の受信パワーを測定する。次いで、ステップＳ３で受信パワー変動が所定値以上か否かを判別する。受信パワー変動が所定値以上のときはステップＳ４でタイマ１１６をリセットしてステップＳ５に進む。受信パワー変動が所定値より小さいときはそのままステップＳ５に進む。
【００３９】
ステップＳ５では、長期間受信パワー変動が小さいか否かを判別し、長期間受信パワー変動が小さくなければ、通常の使用状態にあると判断してステップＳ６でキーユニット２００に認証信号を送信して上記ステップＳ１に戻り次の認証信号の受信を行う。
【００４０】
上記ステップＳ５で長期間受信パワー変動が小さいときは、受信パワー変動が小さい状態が長時間続いており携帯端末装置１００とキーユニット２００とが一緒にあると判断してステップＳ７で認証信号にリセット信号を付加してキーユニット２００に送信する。この認証信号及びリセット信号の送信により、認証制御の主体はキーユニット２００に移行する。
【００４１】
図３は、キーユニット２００の認証制御動作を示すフローチャートである。
【００４２】
まず、ステップＳ１１でリセット信号を受信し、ステップＳ１２でこのリセット信号により認証状態をリセットして初期状態に戻る。リセットされて初期状態に戻ると、ステップＳ１３で定期的にサーチ信号を送信する（図１０参照）。
【００４３】
次いで、ステップＳ１４で携帯端末装置１００からサーチ信号に応答する応答信号を受信したか否かを判別し、応答信号を受信した場合はステップＳ１５で携帯端末装置１００に認証信号を送信して本フローを終了する。これにより図２に示す携帯端末装置１００の認証制御フローに移行する。
【００４４】
一方、ステップＳ１４で応答信号を受信しないときは、ステップＳ１６で再びサーチ信号を送信して上記ステップＳ１４に戻り応答信号が返ってくるのを待つ。また、この場合は図４に示す携帯端末装置１００の認証制御フローに移行する。
【００４５】
図４は、携帯端末装置１００の認証制御動作を示すフローチャートである。
【００４６】
まず、ステップＳ２１で送受信部１１２の受信部１３４はキーユニット２００からのサーチ信号を受信し、ステップＳ２２で受信したサーチ信号の受信パワーを測定する。次いで、ステップＳ２３で受信パワー変動が所定値以上か否かを判別する。受信パワー変動が所定値より小さいときは上記ステップＳ２１に戻りサーチ信号受信を続ける。
【００４７】
受信パワー変動が所定値以上のときはステップＳ２４で認証信号を送信して本フローを終了する。
【００４８】
以上のフローを実行することにより以下のような効果を得ることができる。
【００４９】
携帯端末装置１００とキーユニット２００を安全な場所に長時間一緒に置いておく場合がある。例えば、貴重品ボックス内や安全な場所にあるロッカーに保管する場合、自宅で机の上に並べて置いておく場合などである。
【００５０】
携帯端末装置１００とキーユニット２００を長時間、一緒に置いておく場合、携帯端末装置１００の受信信号のパワーレベルは安定している。本実施の形態では、携帯端末装置１００は、パワーレベルの変動を検出するための測定値を記憶する受信パワー記憶部１１５及びタイマ１１６を備え、タイマ１１６によりパワーレベルの変動量が所定値以内に収まっているときの時間を測定し、あらかじめ設定された時間を超えた場合、携帯端末装置１００とキーユニット２００が一緒にあると判断する。
【００５１】
このとき、携帯端末装置１００は認証信号にリセット信号を付加して送信する。リセット信号を受信したキーユニット２００は、認証状態をリセットして初期状態に戻る。初期状態では、定期的にサーチ信号を送信するだけで応答信号が返されない限り認証信号を送信しない。
【００５２】
携帯端末装置１００は、キーユニット２００から定期的に送られてくるサーチ信号のパワーレベルを測定し、パワーレベルに変動がなければ応答信号は返さない。サーチ信号のパワーレベルの変動が所定の値以上になったときにはじめて、応答信号を返し、認証を開始する。
【００５３】
このように、受信パワーレベルの変動が小さい状態が一定時間続いた場合は、キーユニット２００は携帯端末装置１００からのリセット信号により初期状態に戻り、サーチ信号を定期的に送信する状態となる。すなわち、本実施の形態は、認証動作時、受信パワーレベルに変動がない状態が一定時間続くと、常時認証する必要のない環境下にあると判断して認証動作を停止させる。具体的には、無線通信ユニットの認証動作を初期化するリセット信号をキーユニット２００に送出することによってキーユニット２００を初期化し、これによってキーユニット２００及び携帯端末装置１００の認証動作を停止させる。この点、認証動作を常時行っている従来の無線認証ユニットとは機能及び動作とも大きく相違するものである。したがって、携帯端末装置１００とキーユニット２００の間の認証信号の送受信が休止されるので、携帯端末装置１００及びキーユニット２００の双方にとって消費電力の大幅な低減を図ることができる。
【００５４】
なお、本実施の形態では、携帯端末装置１００とキーユニット２００との認証が解除された後、キーユニット２００は定期的にサーチ信号を送出するが、このタイミングを長く（例えば倍にするなど）してもよい。これにより、キーユニット２００の消費電力を低減することができる。
【００５５】
また、本実施の形態では、リセット信号送信後、携帯端末装置１００とキーユニット２００との認証は解除されるが、携帯端末装置１００はキーユニット２００がサーチ信号を送信するタイミング及びパワーレベルを知っているので、認証状態になくともキーユニット２００が近くにある安全な状態と判断することができる。
【００５６】
また、キーユニット２００がサーチ信号を送信するタイミング及びパワーレベルを知っているので、他のキーユニットからの信号が混入してきたとしても区別することができる。
【００５７】
なお、本実施の形態では、受信パワー記憶部１１５及びタイマ１１６により受信パワーレベルの変動とその経過時間を検出しているが、受信パワーレベルの変動とその時間経過を検出するものであればメモリ・タイマの構成に限らない。
【００５８】
例えば、パワーレベル変動は一つ前の測定値との差分で見ても良いし、平均値との偏差で見ても良い。
【００５９】
（実施の形態２）
実施の形態２は、一つの携帯端末装置に対して、複数のキーユニットがある場合の例である。
【００６０】
ハード的構成は、図１と同様であるため説明を省略する。また、携帯端末装置及びキーユニットの認証制御動作は、図２乃至図３のフローと同様である。
【００６１】
本実施の形態では、携帯端末装置１００が複数のキーユニット２００と認証を行っている場合、受信パワーの変動が少ないキーユニットを優先して認証を行う。優先しないキーユニット２００に対してはリセット信号を送信し、認証状態を解除する。詳細な制御については、図７のフローにより後述する。
【００６２】
一つの携帯端末装置１００に対して、複数のキーユニット２００が認証可能である場合に想定されるシーンには、以下のものが考えられる。
【００６３】
想定されるシーン１  一つのキーユニット２００Ａはユーザが持ち歩く。もう一つのキーユニット２００Ｂは自宅（安全が確保されている所）に置いておく場合。
【００６４】
想定されるシーン２  自宅で携帯端末装置１００を持ち歩いている場合。
【００６５】
図５及び図６は、携帯端末装置とキーユニットの認証制御の具体的動作を説明する図であり、図５はシーン１の認証制御動作を、図６はシーン２の認証制御動作を示す。
【００６６】
図５及び図６において、■印は携帯端末装置、□印は複数のキーユニットＡ，Ｂであり、キーユニットＡは、ユーザが持ち歩いており、キーユニットＢは自宅に置かれているものとする。また、同図中の円は認証可能エリア３０１〜３０４，４０１〜４０４であり、ここではキーユニットＡ，Ｂを中心に認証可能エリアが表現されている。携帯端末装置とキーユニットが同一認証可能エリア内にあるとき、優先しているキーユニットの認証可能エリアはハッチング部で示された認証可能エリア３０３，４０１，４０２，４０４である。
【００６７】
まず、シーン１の無線認証動作を説明する。図５に示すように、自宅に携帯電話機（携帯端末装置）を置き、ユーザが移動し、認証可能エリアが認証可能エリア３０１から認証可能エリア３０２へと移っているシーンを考える。従来では携帯端末装置はキーユニットＡ，Ｂそれぞれと認証しているが、その後さらに移動し、認証可能エリアが認証可能エリア３０２から認証可能エリア３０４へと移ってキーユニットＡが携帯端末装置と離れた場合、携帯端末装置はキーユニットＢと無線認証を行っているので、携帯端末装置に使用制限はかからないが、キーユニットＡとは無線認証が途切れるので、警報を発してしまう。
【００６８】
次に、シーン２の無線認証動作を説明する。図６に示すように、ユーザが携帯端末装置とキーユニットＡを持ち歩き、自宅に置かれているキーユニットＢの近くを移動しているシーンを考える。従来ではユーザが移動し、認証可能エリアが認証可能エリア４０１から認証可能エリア４０２へと移るとき、携帯端末装置はキーユニットＡ，Ｂそれぞれと認証している。その後さらに移動し、認証エリアが４０２から４０４へと移って携帯端末装置がキーユニットＢの認証可能エリア外に移動した場合、携帯端末装置はキーユニットＡと無線認証を行っているので、携帯端末装置に使用制限はかからないが、キーユニットＢとは無線認証が途切れるので、警報を発してしまう。
【００６９】
このように、ユーザが移動するたびにいずれかのキーユニットと無線認証が途切れてしまうと警報がなってしまうので非常にわずらわしく、これを回避するためには認証したキーユニットと携帯端末装置とを全て一箇所に置いておかなければならなかった。
【００７０】
これに対し、図５における本実施の形態では、携帯端末装置１００が複数のキーユニット２００Ａ，２００Ｂと認証状態にあるとき、携帯端末装置１００は、認証信号を受信したときのパワー変動をみて、一番変動の少ないキーユニット２００Ｂに優先権を与える。携帯端末装置１００は、優先権を得られたキーユニット２００Ｂとは認証を継続し、与えられなかったキーユニット２００Ａに対してはリセット信号を送信して、認証状態をリセットする。つまり、上記シーン１のような状態では、キーユニット２００Ａ，２００Ｂからの受信パワー変動を比較し、より変動の少ないキーユニット２００Ｂに優先権を与える。携帯端末装置１００は、キーユニット２００Ａとは認証状態を解除してしまうので、その後、キーユニット２００Ａが離れてしまっても警報は鳴らず、ユーザの利便性を向上させることができる。キーユニット２００Ｂと携帯端末装置１００はその後、実施の形態１のように動作し、再びキーユニット２００Ａからの受信信号に変動があるまで、認証を休止する。
【００７１】
また、図６における本実施の形態では、携帯端末装置１００とともにユーザが持ち歩いているキーユニット２００Ａからの受信パワーの方がより変動が少ないので、キーユニット２００Ａの方に優先権を与える。優先権を与えられなかったキーユニット２００Ｂに対しては認証状態をリセットするため、ユーザが移動し、キーユニット２００Ｂとの認証可能エリア４０３を外れても警報はならない。
【００７２】
図７は、上記優先権設定の制御動作を示すフローチャートである。
【００７３】
まず、ステップＳステップＳ３１で送受信部１１２の受信部１３４はキーユニット２００Ａ，２００Ｂからの認証信号を受信し、ステップＳ３２で複数のキーユニットと認証状態か否かを判別する。複数のキーユニットと認証状態になければ優先権設定はないと判断して、ステップＳ３７で認証信号を送信して本フローを終了する。複数のキーユニットと認証状態にあるときは、ステップＳ３３で受信した認証信号の受信パワーを測定し、ステップＳ３４でパワー変動を比較する。ステップＳ３５では、現在認証状態にあるキーユニットが優先権のあるキーユニットであるか否かを判別し、優先権のあるキーユニットのときはステップＳ３６で認証を継続してステップＳ３７で認証信号を送信して本フローを終了する。
【００７４】
一方、上記ステップＳ３５で優先権のあるキーユニットでないときは、ステップＳ３８で優先権のないキーユニットに対してリセット信号を送信し、ステップＳ３９で認証を解除する。リセット信号送信による認証解除動作については実施の形態１と同様である。次いで、ステップＳ４０でサーチ信号を監視して上記ステップＳ３３に戻る。優先権が付与されたキーユニット２００Ａと携帯端末装置１００との受信パワーにその後変動があり、優先権が付与されていないキーユニット２００Ｂからのサーチ信号の受信パワーよりも変動が大きくなった場合には、キーユニット２００Ｂからのサーチ信号に応答を返し、ステップＳ３１から実行する。
【００７５】
このように、本実施の形態では、複数のキーユニット２００Ａ，２００Ｂからの認証信号を受信し、キーユニット２００Ａ，２００Ｂから送信される信号の受信レベルの変動が一番少ないキーユニット２００Ａに対して認証継続の優先権を与え、優先権の付与されたキーユニット２００Ａには認証を継続し、認証が付与されないキーユニット２００Ｂには認証動作を初期化するリセット信号を送出するので、ユーザにとってより使い良い状態にあるキーユニットと認証動作が継続されるとともに、認証可能エリア４０１，４０２，４０４から外れがちなキーユニットに対しては無線認証を休止して無意味な警報を未然に防ぎつつ消費電力の低減を図ることができる。
【００７６】
なお、上記実施の形態では、キーユニット２００Ａ、及びキーユニット２００Ｂのパワー変動を見て優先権を付与したが、あらかじめユーザがキーユニットの優先順位を設定し、複数のキーユニットと認証状態にあるときには優先度が一番高いキーユニットと認証を行い、それ以外のキーユニットに対してはリセット信号を送信するというのでも良い。この場合、優先権が付与されたキーユニット２００Ａとの認証が切れると、優先権が付与されていないキーユニット２００Ｂからのサーチ信号に対し、応答信号を送信し、認証動作を行う。
【００７７】
また、上記各実施の形態では、制御信号にリセット信号を付加しているが、リセット信号をキーユニットに送信する方法はどのような方法でもよい。例えば、認証信号とは非同期でキーユニット側に送信するものでもよい。
【００７８】
また、携帯端末装置１００とキーユニット２００を一緒に置き忘れた場合というのも考えられるので、認証リセット後にパワーレベルの変動があったときにはパスワードを入力してもらう態様でも良い。
【００７９】
以上の説明は本発明の好適な実施の形態の例証であり、本発明の範囲はこれに限定されることはない。例えば、携帯端末装置として携帯電話機に適用した例について説明しているが、携帯電話機に限らずＰＤＡ等の携帯情報端末、パーソナルコンピュータ又はその融合された装置、さらにはＭＰ３プレーヤー、ＨＤＤプレーヤーなどの携帯機器に適用可能である。
【００８０】
また、図５及び図６の認証動作例は一例であり、どのような設定例でも構わない。
【００８１】
また、本実施の形態では携帯端末装置、無線通信ユニット及び送信制御方法という名称を用いたが、これは説明の便宜上であり、携帯電話機、機器の使用制限装置、無線認証方法等であってもよいことは勿論である。
【００８２】
さらに、上記携帯端末装置及び無線通信ユニットを構成する各回路部、例えば無線認証部等の種類、数及び接続方法などは前述した実施の形態に限られない。
【００８３】
また、以上説明した携帯端末装置及び認証制御方法は、これら携帯端末装置及び認証制御方法を機能させるためのプログラムでも実現される。このプログラムはコンピュータで読み取り可能な記録媒体に格納されている。
【産業上の利用可能性】
【００８４】
本発明に係る携帯端末装置、無線通信ユニット及び認証制御方法は、無線通信ユニットとの間で無線信号を送受信して無線認証を行う携帯電話機などの携帯端末装置、認証制御システムの用途に有用である。また、認証制御プログラムとして携帯電話機などの携帯機器やキーユニットに組み込むことも可能である。
【図面の簡単な説明】
【００８５】
【図１】本発明の実施の形態１に係る携帯端末装置の構成を示すブロック図
【図２】上記実施の形態１に係る携帯端末装置の認証制御動作を示すフロー図
【図３】上記実施の形態１に係る通信端末ユニットの認証制御動作を示すフロー図
【図４】上記実施の形態１に係る携帯端末装置の認証制御動作を示すフロー図
【図５】本発明の実施の形態２に係る携帯端末装置と無線通信ユニットの認証制御の具体的動作を説明する図
【図６】上記実施の形態２に係る携帯端末装置と無線通信ユニットの認証制御の具体的動作を説明する図
【図７】上記実施の形態２に係る携帯通信端末の優先権設定の制御動作を示すフロー図
【図８】無線認証通信を使用して携帯端末装置に使用制限をかける使用制限方法を説明する図
【図９】図８の携帯端末装置の使用制限方法を実現するブロック図
【図１０】無線認証の動作を示す制御シーケンス図
【図１１】携帯端末装置と無線通信ユニットの組み合わせを示す図
【符号の説明】
【００８６】
１００  携帯電話機（携帯端末装置）
１１０，２１２  無線認証部
１１１，１４１，２１１  アンテナ
１１２  送受信部
１１３，２２２  認証用ＩＤ記憶部
１１４  無線認証制御部
１１５  受信パワー記憶部
１１６  タイマ
１１７  リセット信号生成部
１２１  変調部
１２２，１３２  増幅部
１２３  送信部
１３１  復調部
１３３  電力測定部
１３４  受信部
１４２  無線通信・データ処理部
２１３  警報通知部
２１４  電池
２２３  無線認証ユニット制御部
【図１】
2007019879.tif 000003
【図２】
2007019879.tif 000004
【図３】
2007019879.tif 000005
【図４】
2007019879.tif 000006
【図５】
2007019879.tif 000007
【図６】
2007019879.tif 000008
【図７】
2007019879.tif 000009
【図８】
2007019879.tif 000010
【図９】
2007019879.tif 000011
【図１０】
2007019879.tif 000012
【図１１】
2007019879.tif 000013